(57)【要約】【課題】セーフティーデバイスを注射針を覆う位置に容易かつ確実に移動させて、安全性を確保することができる容器兼用注射器を提供する。【解決手段】外筒２０の外周に摺動可能に装着される円筒形状をなし、前方に移動した際に注射針３７を覆うセーフティーデバイス５０を備えた容器兼用注射器１において、セーフティーデバイス５０を注射針３７から外れた第１位置に係脱可能に係止する第１保持手段と、セーフティーデバイス５０を注射針３７を覆う第２位置に係止する外れ防止ストッパー５３及び戻り防止ストッパー５４からなる第２係止手段と、セーフティーデバイス５０を第１位置から第２位置方向に向かって付勢するコイルスプリング７０と、第１保持手段による係止を解除する係止解除手段としてのスライド部材８０とを設ける。【選択図】図１９
2010172618.tif 000002
【特許請求の範囲】
【請求項１】
軸線に沿った円筒状をなし薬液が充填される外筒の前端側に、先端に注射針を装着した筒先が取り付けられるとともに、前記外筒の後端側に、フィンガーグリップが取り付けられた容器兼用注射器本体と、
前記外筒の外周に摺動可能に装着される円筒形状をなし、前方に移動した際に前記注射針を覆うセーフティーデバイスとを備えた容器兼用注射器において、
前記セーフティーデバイスを前記注射針から外れた第１位置に係脱可能に係止する第１保持手段と、
前記セーフティーデバイスを前記注射針を覆う第２位置に係止する第２保持手段と、
前記セーフティーデバイスを前記第１位置から前記第２位置に向かって付勢する付勢手段と、
前記第１保持手段による係止を解除する係止解除手段とが設けられたことを特徴とする容器兼用注射器。
【請求項２】
前記フィンガーグリップは、円筒状をなし前記外筒の後端部に嵌着される嵌着部と、前記嵌着部の後端部から前記容器兼用注射器本体の径方向外側に張り出して後方側を向くフランジ面とを備え、
前記第１保持手段が、前記セーフティーデバイスの後端部に設けられた係合部と、前記嵌着部の外周面に設けられ前記係合部を係止する係止部とからなり、  
前記係止解除手段が、前記フランジ面上を前記容器兼用注射器本体の径方向に沿ってスライド可能に設けられ、前記容器兼用注射器本体の径方向外側に位置する待機位置から前記容器兼用注射器本体の径方向内側に位置する解除位置にスライド移動する際に、前記係止部による係合部の係止を解除するスライド部材であることを特徴とする請求項１に記載の容器兼用注射器。
【請求項３】
前記係合部が、前記セーフティーデバイスの後端から前記軸線に平行に延出するとともに前記容器兼用注射器本体の径方向に沿って弾性変形可能とされ、
前記スライド部材が、前記待機位置側から前記解除位置側に向かうに従って前記容器兼用注射器本体の径方向内側に向かって傾斜し、前記係止部の内側面と当接可能な傾斜側面を備え、
前記スライド部材が前記解除位置に移動する際に、該傾斜側面が前記係合部を押し上げて前記容器兼用注射器本体の径方向外側に弾性変形させることを特徴とする請求項２に記載の容器兼用注射器。
【請求項４】
前記軸線に沿って延びる棒状をなし、前記外筒の後端側から該外筒内に挿入されて、注射時に前方に向かって押し込まれるプランジャロッドを備え、
前記スライド部材に、
前記待機位置に位置する前記スライド部材を前記軸線に沿って貫通する大径孔と、
前記待機位置に位置する前記スライド部材を前記軸線に沿って貫通するとともに前記スライド移動の方向に沿って延びて前記大径孔に連なる小径スリットとからなる貫通部が形成され、
前記プランジャロッドが、
前記大径孔に挿通可能とされ、かつ、前記小径スリットに挿通不能とされた径を有する大径ロッド部と、
該大径ロッド部の後端側に位置し、前記大径孔と前記小径スリットとに挿通可能とされた径を有する小径ロッド部とを備え、
前記プランジャロッドが最も後方に位置する注射前及び前記プランジャロッドを前方に向かって押し込む注射動作時に、前記大径ロッド部が貫通部に挿通状態とされ、
前記プランジャロッドを前方側に押し切った注射完了時に、前記小径ロッド部が前記貫通部に挿通状態とされることを特徴とする請求項２又は３に記載の容器兼用注射器。
【請求項５】
前記第２保持手段が、
前記筒先の一部が拡径して形成され、その前方側を向く端面が前部係合面とされるとともに、後方側を向く端面が後部係合面とされたデバイス係合部と、
前記セーフティーデバイスの内周面に突設され、前記セーフティーデバイスが前記注射針の全域を覆う位置で前記前部係合面と係合し、前記セーフティーデバイスの後端方向への移動を阻止する戻り防止ストッパーと、
前記セーフティーデバイスの内周面における前記戻り防止ストッパーよりも後方側に突設され、前記セーフティーデバイスが前記注射針の全域を覆う位置で前記後部係合面と係合し、前記セーフティーデバイスの先端方向への移動を阻止する外れ防止ストッパーとからなることを特徴とする請求項１から４のいずれか一項に記載の容器兼用注射器。
【請求項６】
前記戻り防止ストッパーが、後方側に向かうにしたがって前記容器兼用注射器本体の径方向内側に傾斜するように形成されているとともに、前記外れ防止ストッパーが、前方側に向かうにしたがって前記容器兼用注射器本体の径方向内側に傾斜するように形成されており、
前記戻り防止ストッパーの前記セーフティーデバイスの内周面からの高さが、前記外れ防止ストッパーの前記セーフティーデバイスの内周面からの高さよりも低く形成されていることを特徴とする請求項５に記載の容器兼用注射器。
【請求項７】
前記戻り防止ストッパーの周方向位置から前記外れ防止ストッパーの周方向位置にかけて、
前記軸線に平行に延びるスリットが形成されたことを特徴とする請求項６に記載の容器兼用注射器。
【請求項８】
前記外れ防止ストッパーが、前方側に向かうにしたがって前記容器兼用注射器本体の径方向内側に傾斜するように形成されており、
前記戻り防止ストッパーが前記容器兼用注射器本体の径方向に弾性変形可能とされ、
前記セーフティーデバイスの外周面に押圧リングが摺動可能に設けられ、
該押圧リングを前記戻り防止ストッパーの位置に摺動させることによって、該戻り防止ストッパーを前記容器兼用注射器本体の径方向内側に向かって押圧して前記セーフティーデバイスの内周面から突出させることを特徴とする請求項５に記載の容器兼用注射器。
【請求項９】
前記付勢手段は前記軸線を中心としたコイルスプリングであって、
前記セーフティーデバイスが前記外筒の外周に固定された前記第１位置に位置している状態において、該コイルスプリングが、前記セーフティーデバイスの後端側の内周壁面に形成されたバネ受け部と前記フィンガーグリップとの間に圧縮状態で装着されていることを特徴とする請求項１から８のいずれか一項に記載の容器兼用注射器。
【請求項１０】
軸線に沿った円筒状をなし薬液が充填される外筒の前端側に、先端に注射針を装着した筒先が取り付けられるとともに、前記外筒の後端側に、フィンガーグリップが取り付けられた容器兼用注射器本体と、
前記外筒の外周に摺動可能に装着される円筒形状をなし、先端方向に移動した際に前記注射針を覆うセーフティーデバイスを備えた容器兼用注射器において、
前記筒先の一部が拡径して形成され、その前方側を向く端面が前部係合面とされるとともに、後方側を向く端面が後部係合面とされたデバイス係合部と、
前記セーフティーデバイスの内周面に突設され、前記セーフティーデバイスが前記注射針の全域を覆う位置で前記前部係合面と係合し、前記セーフティーデバイスの後端方向への移動を阻止する戻り防止ストッパーと、
前記セーフティーデバイスの内周面における前記戻り防止ストッパーよりも後方側に突設され、前記セーフティーデバイスが前記注射針の全域を覆う位置で前記後部係合面と係合し、前記セーフティーデバイスの先端方向への移動を阻止する外れ防止ストッパーとを備え、
前記戻り防止ストッパーが、後方側に向かうにしたがって前記容器兼用注射器本体の径方向内側に傾斜するように形成されているとともに、前記外れ防止ストッパーが、前方側に向かうにしたがって前記容器兼用注射器本体の径方向内側に傾斜するように形成されており、
前記戻り防止ストッパーの前記セーフティーデバイスの内周面からの高さが、前記外れ防止ストッパーの前記セーフティーデバイスの内周面からの高さよりも低く形成されていることを特徴とする容器兼用注射器。
【発明の詳細な説明】
【技術分野】
【０００１】
本発明は、注射終了後等に注射針を覆い安全性を確保するために用いられるセーフティーデバイスを備えた容器兼用注射器に関する。
【背景技術】
【０００２】
容器兼用注射器は、予め薬液が充填されているため、医療機関において煩雑な操作をすることなく、包装から取り出して直ぐに使用できるので、利便性に優れ、医師や看護師等の医療業務に携わる者の作業の軽減に大変に役立ち、このため、多くの病医院で採用されている。
【０００３】
ところで、従来から医療業務に携わるものが注射器を使用した際に、穿刺後の注射針を誤って自らに刺してしまうことがあり、その穿刺を原因としたウイルス感染が懸念されている。そのため、患者に注射した後の注射針を安全に処理することを目的として、注射後の注射針を円筒状のカバーで覆って注射針の不用意な接触を防止するセーフティーデバイスを備えた注射器が考案されている。
例えば特許文献１に記載の注射器によれば、シリンダの外周に係止された可撓性のセーフティーデバイスに圧力を加えて撓ませることで係止状態を解除し、該セーフティーデバイスを挟持した状態で注射針を上方に向けることによって、注射器本体が自重により下方に移動して、注射針がセーフティーデバイスによって覆われるように構成されている。
【先行技術文献】
【特許文献】
【０００４】
【特許文献１】特開２００１−２９３３４号公報
【発明の概要】
【発明が解決しようとする課題】
【０００５】
しかしながら、上述した従来のセーフティーデバイスを備えた注射器においては、セーフティーデバイスを注射針を覆う位置に移動させる手段は注射器本体の自重のみであるため、セーフティーデバイスを相対移動させる力は弱く、場合によっては、注射針をセーフティーデバイスで覆う途中で注射器本体に引っかかることもあり、注射針を確実に覆うことができず安全性を保てないという問題があった。
なお、セーフティーデバイスを手動でもって移動させることも考えられるが、この場合、一方の手で容器兼用注射器自体を支えた状態で他方の手でもってセーフティーデバイスを持って移動させる必要があるため、両手での操作が必要となり、作業が煩雑になるという問題があった。
【０００６】
さらに、上述した従来のセーフティーデバイスを備えた注射器においては、セーフティーデバイスは係合部との摩擦によって簡易に取り付けられているに過ぎないため、セーフティーデバイスが強固に固定されず安定しないばかりか、場合によってはセーフティーデバイスが注射器から外れてしまい、注射針が医療業務に携わる者の手や指に誤って刺さってしまうという問題があった。また、セーフティーデバイスは、既存の注射器に容易に装着することができる構造であることが望ましい。
【０００７】
この発明は上記課題に鑑みてなされたものであって、セーフティーデバイスを注射針を覆う位置に容易かつ確実に移動させて、安全性を確保することができる容器兼用注射器を提供することを目的とする。
また、注射器に容易に装着することができるとともに、注射終了後の注射針を覆った状態で確実に固定することができるセーフティーデバイスを備えた容器兼用注射器を提供することを目的とする。
【課題を解決するための手段】
【０００８】
前記課題を解決するため、この発明は以下の手段を提案している。
即ち、本発明に係る容器兼用注射器は、軸線に沿った円筒状をなし薬液が充填される外筒の前端側に、先端に注射針を装着した筒先が取り付けられるとともに、前記外筒の後端側に、フィンガーグリップが取り付けられた容器兼用注射器本体と、前記外筒の外周に摺動可能に装着される円筒形状をなし、前方に移動した際に前記注射針を覆うセーフティーデバイスとを備えた容器兼用注射器において、前記セーフティーデバイスを前記注射針から外れた第１位置に係脱可能に係止する第１保持手段と、前記セーフティーデバイスを前記注射針を覆う第２位置に係止する第２保持手段と、前記セーフティーデバイスを前記第１位置から前記第２位置に向かって付勢する付勢手段と、前記第１保持手段による係止を解除する係止解除手段とが設けられたことを特徴としている。
【０００９】
このような特徴の容器兼用注射器によれば、係止解除手段によって第１保持手段によるセーフティーデバイスの第１位置での係止を解除すると、セーフティーデバイスは付勢手段の付勢力によって第２位置方向に移動し、第２位置において第２保持手段によって係止される。したがって、係止解除手段を操作することのみをもって、セーフティーデバイスを確実に注射針を覆う位置に移動させることができる。
【００１０】
本発明に係る容器兼用注射器においては、前記フィンガーグリップは、円筒状をなし前記外筒の後端部に嵌着される嵌着部と、前記嵌着部の後端部から前記容器兼用注射器本体の径方向外側に張り出して後方側を向くフランジ面とを備え、前記第１保持手段が、前記セーフティーデバイスの後端部に設けられた係合部と、前記嵌着部の外周面に設けられ前記係合部を係止する係止部とからなり、  前記係止解除手段が、前記フランジ面上を前記容器兼用注射器本体の径方向に沿ってスライド可能に設けられ、前記容器兼用注射器本体の径方向外側に位置する待機位置から前記容器兼用注射器本体の径方向内側に位置する解除位置にスライド移動する際に、前記係止部による係合部の係止を解除するスライド部材であることを特徴としている。
【００１１】
このような特徴の容器兼用注射器においては、フィンガーグリップのフランジ面上に配置されたスライド部材を待機位置から解除位置に移動させることによって、該スライド部材がフィンガーグリップの嵌着部の係止部とセーフティーデバイスの後端部の係合部との係合を解除する。これによって、セーフティーデバイスは付勢手段の付勢力によって第２位置方向に移動し、第２位置において第２保持手段によって係止される。即ち、スライド部材をスライドさせる操作のみをもってセーフティーデバイスが第２位置に移動するため、容易かつ確実に注射針を覆って安全性を確保することが可能となる。
【００１２】
本発明に係る容器兼用注射器においては、前記係合部が、前記セーフティーデバイスの後端から前記軸線に平行に延出するとともに前記容器兼用注射器本体の径方向に沿って弾性変形可能とされ、前記スライド部材が、前記待機位置側から前記解除位置側に向かうに従って前記容器兼用注射器本体の径方向内側に向かって傾斜し、前記係止部の内側面と当接可能な傾斜側面を備え、前記スライド部材が前記解除位置に移動する際に、該傾斜側面が前記係合部を押し上げて前記容器兼用注射器本体の径方向外側に弾性変形させることを特徴としている。
【００１３】
このような特徴の容器兼用注射器によれば、スライド部材を待機位置から解除位置に移動する際に、スライド部材の傾斜側面が、嵌着部の係止部と係合しているセーフティーデバイスの係合部を容器兼用注射器本体の径方向外側に向かって押し上げることにより、該係合部が係止部から離間する。これにより、係止部と係合部との係合を解除することができため、スライド部材をスライドさせる動作をもって確実にセーフティーデバイスを第２位置に移動させることが可能となる。
【００１４】
本発明に係る容器兼用注射器においては、前記軸線に沿って延びる棒状をなし、前記外筒の後端側から該外筒内に挿入されて、注射時に前方に向かって押し込まれるプランジャロッドを備え、前記スライド部材に、前記待機位置に位置する前記スライド部材を前記軸線に沿って貫通する大径孔と、前記待機位置に位置する前記スライド部材を前記軸線に沿って貫通するとともに前記スライド移動の方向に沿って延びて前記大径孔に連なる小径スリットとからなる貫通部が形成され、前記プランジャロッドが、前記大径孔に挿通可能とされ、かつ、前記小径スリットに挿通不能とされた径を有する大径ロッド部と、該大径ロッド部の後端側に位置し、前記大径孔と前記小径スリットとに挿通可能とされた径を有する小径ロッド部とを備え、前記プランジャロッドが最も後方に位置する注射前及び前記プランジャロッドを前方に向かって押し込む注射動作時に、前記大径ロッド部が貫通部に挿通状態とされ、前記プランジャロッドを前方側に押し切った注射完了時に、前記小径ロッド部が前記貫通部に挿通状態とされることを特徴としている。
【００１５】
このような特徴の容器兼用注射器によれば、注射前及び注射動作時には、プランジャロッドの大径ロッドは貫通孔のうち大径孔に挿通状態とされている。この状態においては、上記大径ロッドが小径スリットに挿通不能な径を有しているため、該大径ロッドが小径スリットを挿通することはできない。したがって、スライド部材を待機位置から解除位置にスライド移動させようとしても、大径ロッド部の存在によって当該スライド移動をさせることができない。
一方、注射完了時においては、該プランジャロッドの小径ロッドが貫通部の大径孔に挿通状態となる。この状態において、スライド部材を待機位置から解除位置に移動させようとすると、小径ロッドは大径孔から小径スリットに入り込むようにして該小径スリットに挿通した状態となる。したがって、スライド部材をスライド移動させても、小径スリットが当該スライド移動の妨げとなることはない。
よって、注射完了時のみに、スライド部材を待機位置から解除位置にスライドさせることができるため、注射前や注射動作時にセーフティーデバイスが誤作動してしまうことを確実に防止することが可能となる。
【００１６】
本発明に係る容器兼用注射器においては、前記第２保持手段が、前記筒先の一部が拡径して形成され、その前方側を向く端面が前部係合面とされるとともに、後方側を向く端面が後部係合面とされたデバイス係合部と、前記セーフティーデバイスの内周面に突設され、前記セーフティーデバイスが前記注射針の全域を覆う位置で前記前部係合面と係合し、前記セーフティーデバイスの後端方向への移動を阻止する戻り防止ストッパーと、前記セーフティーデバイスの内周面における前記戻り防止ストッパーよりも後方側に突設され、前記セーフティーデバイスが前記注射針の全域を覆う位置で前記後部係合面と係合し、前記セーフティーデバイスの先端方向への移動を阻止する外れ防止ストッパーとからなることを特徴としている。
【００１７】
このような特徴の容器兼用注射器によれば、セーフティーデバイスが第２位置に位置している状態においては、戻り防止ストッパーがデバイス係合部の前部係合面と係合し、セーフティーデバイスの後方側への移動が阻止される。また、外れ防止ストッパーがデバイス係合部の後部係合面と係合し、セーフティーデバイスの前方側への移動が阻止される。即ち、第２位置におけるセーフティーデバイスの軸線方向への移動が固定されるため、セーフティーデバイスが容器兼用注射器から外れたり、後端方向に移動して注射針が露出したりすることを防止することができる。
【００１８】
本発明に係る容器兼用注射器においては、前記戻り防止ストッパーが、後方側に向かうにしたがって前記容器兼用注射器本体の径方向内側に傾斜するように形成されているとともに、前記外れ防止ストッパーが、前方側に向かうにしたがって前記容器兼用注射器本体の径方向内側に傾斜するように形成されており、前記戻り防止ストッパーの前記セーフティーデバイスの内周面からの高さが、前記外れ防止ストッパーの前記セーフティーデバイスの内周面からの高さよりも低く形成されていることを特徴としている。
【００１９】
このような特徴の容器兼用注射器によれば、セーフティーデバイスを外筒の外周に容易に装着でき、かつ、セーフティーデバイスを注射針を覆った位置で確実に固定することができる。
即ち、セーフティーデバイスを外筒の前方側から装着する際には、外れ防止ストッパーの傾斜がデバイス係合部の前部係合面に当接し、外れ防止ストッパーの内周面が撓んでデバイス係合部が通過可能な内径まで拡径させられる。これにより、デバイス係合部が外れ防止ストッパーを乗り越えて通過する。
また、外れ防止ストッパーの内周面の撓みは、戻り防止ストッパーの内周面にも影響を与え、該戻り防止ストッパーの内周面も拡径することになる。この際、戻り防止ストッパーは外れ防止ストッパーから離間した位置にあるため、戻り防止ストッパーの内周面の拡径量は外れ防止ストッパーの周囲の内周面の拡径量よりも小さなものとなる。ここで、戻り防止ストッパーの高さが外れ防止ストッパーの高さよりも低く形成されているため、外れ防止ストッパーの拡径量が戻り防止ストッパーの拡径量よりも小さくても、デバイス係合部が戻り防止ストッパーを乗り越えて通過することができる。
したがって、外れ防止ストッパーをデバイス係合部が通過可能な径に拡径させることによって、同時に戻り防止ストッパーもデバイス係合部が通過可能な径に拡径するため、外れ防止ストッパーと戻り防止ストッパーとがセーフティーデバイスの装着の妨げとなることなく、該セーフティーデバイスを容易に外筒の外周に装着することが可能となる。
【００２０】
また、セーフティーデバイスを第１位置から第２位置まで移動させて注射針を覆う際には、まず、戻り防止ストッパーの傾斜がデバイス係合部の後部係合面に当接し、戻り防止ストッパーの内周面が撓んでデバイス係合部が通過可能な内径まで拡径させられる。これにより、デバイス係合部が戻り防止ストッパーを乗り越えて通過する。
また、戻り防止ストッパーの内周面の撓みは、戻り防止ストッパーの内周面にも影響を与え、該戻り防止ストッパーの内周面も拡径することになる。この際、外れ防止ストッパーは戻り防止ストッパーから離間した位置にあるため、外れ防止ストッパーの内周面の拡径量は戻り防止ストッパーの周囲の内周面の拡径量よりも小さなものとなる。しかしながら、外れ防止ストッパーの高さが戻り防止ストッパーの高さよりも高く形成されているため、外れ防止ストッパーをデバイス係合部が通過するためには、該外れ防止ストッパーの拡径量が戻り防止ストッパーの拡径量に比べて大きくなければならない。よって、外れ防止ストッパーの内径がデバイス係合部を通過させる程の径まで拡径することはないため、外れ防止ストッパーがデバイス係合部の後部係合面に係合し、セーフティーデバイスの後方への移動が阻止される。また、デバイス係合部が戻り防止ストッパーを乗り越えて通過した後には、戻り防止ストッパーが復元し、セーフティーデバイスの前方への移動が阻止される。これにより、セーフティーデバイスを容易に第１位置から第２位置に移動させつつも該第２位置に確実に固定することが可能となる。
【００２１】
また、本発明に係る容器兼用注射器においては、前記戻り防止ストッパーの周方向位置から前記外れ防止ストッパーの周方向位置にかけて、前記軸線に平行に延びるスリットが形成されたことを特徴としている。
【００２２】
これにより、外れ防止ストッパー及び戻り防止ストッパーがそれぞれ拡径し易くなるため、セーフティーデバイスを外筒の外周により容易に装着することができる。
【００２３】
本発明に係る容器兼用注射器においては、前記外れ防止ストッパーが、前方側に向かうにしたがって前記容器兼用注射器本体の径方向内側に傾斜するように形成されており、前記戻り防止ストッパーが前記容器兼用注射器本体の径方向に弾性変形可能とされ、前記セーフティーデバイスの外周面に押圧リングが摺動可能に設けられ、該押圧リングを前記戻り防止ストッパーの位置に摺動させることによって、該戻り防止ストッパーを前記容器兼用注射器本体の径方向内側に向かって押圧して前記セーフティーデバイスの内周面から突出させることを特徴としている。
【００２４】
このような特徴の容器兼用注射器によれば、セーフティーデバイスを前方から外筒の外周に装着する際に、外れ防止ストッパーの傾斜面が前部係合面に当接し、セーフティーデバイスの内周を容易に撓ませることによって、外れ防止ストッパーが係合部を速やかに乗り越えることができる。
また、通常はセーフティーデバイスの内側に突出していない戻り防止ストッパーが、押圧リングによって径方向外側から押圧されたときのみ内側に突出する構成とされている。従って、セーフティーデバイスを前方から外筒の外周に装着する際に、戻り防止ストッパーを内側に突出していない状態にしておくことによって、該戻り防止ストッパーが係合部に当接するのを回避できるため、その移動が阻止されることはなく、容易に装着することが可能となる。
【００２５】
本発明に係る容器兼用注射器においては、前記付勢手段は前記軸線を中心としたコイルスプリングであって、前記セーフティーデバイスが前記外筒の外周に固定された前記第１位置に位置している状態において、該コイルスプリングが、前記セーフティーデバイスの後端側の内周壁面に形成されたバネ受け部と前記フィンガーグリップとの間に圧縮状態で装着されていることを特徴としている。
【００２６】
このような特徴の容器兼用注射器によれば、セーフティーデバイスの後端側の内周壁面に形成されたバネ受け部と、注射器本体の後端側に固定されているフィンガーグリップとの間に圧縮された状態で設けられているコイルスプリングとが、第１保持手段によるセーフティーデバイスの第１位置での係止が解除された際に、フィンガーグリップに対して前方側に伸張して、これに伴ってセーフティーデバイスが前方に移動する。これにより、セーフティーデバイスを注射針を覆う第２位置に確実に移動させることができる。
【００２７】
本発明に係る容器兼用注射器は、軸線に沿った円筒状をなし薬液が充填される外筒の前端側に、先端に注射針を装着した筒先が取り付けられるとともに、前記外筒の後端側に、フィンガーグリップが取り付けられた容器兼用注射器本体と、前記外筒の外周に摺動可能に装着される円筒形状をなし、先端方向に移動した際に前記注射針を覆うセーフティーデバイスを備えた容器兼用注射器において、前記筒先の一部が拡径して形成され、その前方側を向く端面が前部係合面とされるとともに、後方側を向く端面が後部係合面とされたデバイス係合部と、前記セーフティーデバイスの内周面に突設され、前記セーフティーデバイスが前記注射針の全域を覆う位置で前記前部係合面と係合し、前記セーフティーデバイスの後端方向への移動を阻止する戻り防止ストッパーと、前記セーフティーデバイスの内周面における前記戻り防止ストッパーよりも後方側に突設され、前記セーフティーデバイスが前記注射針の全域を覆う位置で前記後部係合面と係合し、前記セーフティーデバイスの先端方向への移動を阻止する外れ防止ストッパーとを備え、前記戻り防止ストッパーが、後方側に向かうにしたがって前記容器兼用注射器本体の径方向内側に傾斜するように形成されているとともに、前記外れ防止ストッパーが、前方側に向かうにしたがって前記容器兼用注射器本体の径方向内側に傾斜するように形成されており、前記戻り防止ストッパーの前記セーフティーデバイスの内周面からの高さが、前記外れ防止ストッパーの前記セーフティーデバイスの内周面からの高さよりも低く形成されていることを特徴としている。
【００２８】
このような特徴の容器兼用注射器においては、上述したように、外れ防止ストッパーと戻り防止ストッパーとがセーフティーデバイスの装着の妨げとなることなく、該セーフティーデバイスを容易に外筒の外周に装着することが可能となる。また、セーフティーデバイスを容易に第１位置から第２位置に移動させつつも該第２位置に確実に固定することが可能となる。
【発明の効果】
【００２９】
本発明の容器兼用注射器によれば、係止解除手段の操作することのみをもってセーフティーデバイスを確実に注射針を覆う位置に移動させることができるため、セーフティーデバイスを注射針を覆う位置に容易かつ確実に移動させて、安全性を確保することが可能となる。
また、本発明の容器兼用注射器によれば、外れ防止ストッパーの高さを戻り防止ストッパーよりも高く形成することで、セーフティーデバイスを注射器に容易に装着することができ、さらに、注射終了後の注射針を覆った状態で確実に固定することが可能となる。
【図面の簡単な説明】
【００３０】
【図１】第１実施形態に係る容器兼用注射器の一部を断面とした側面図である。
【図２】第１実施形態に係る容器兼用注射器本体の一部を断面とした側面図である。
【図３】フィンガーグリップの側断面図である。
【図４】図５のＡ方向矢視図である。
【図５】図５のＢ方向矢視図である。
【図６】戻り防止ストッパーを突出状態とした第１実施形態のセーフティーデバイスの側面図である。
【図７】戻り防止ストッパーを後退状態とした第１実施形態のセーフティーデバイスの側面図である。
【図８】スライド部材の側断面図である。
【図９】図８のＡ方向矢視図である。
【図１０】図８のＢ方向矢視図である。
【図１１】スライド部材をフィンガーグリップに取り付けた状態において、スライド部材が待機位置に位置している状態の図である。
【図１２】スライド部材をフィンガーグリップに取り付けた状態において、スライド部材が解除位置に位置している状態の図である。
【図１３】プランジャロッドの側面図である。
【図１４】図１３のＡ−Ａ断面図である。
【図１５】図１のＢ−Ｂ断面図である。
【図１６】注射前又は注射動作時において容器兼用注射器を後方側から見た図である。
【図１７】注射完了時において容器兼用注射器を後方側から見た図である。
【図１８】スライド部材を待機位置から解除位置に移動させた際に容器兼用注射器を後方側から見た図である。
【図１９】セーフティーデバイスが注射針を覆った状態における第１実施形態に係る容器兼用注射器の一部を断面とした側面図である。
【図２０】第２実施形態に係る容器兼用注射器の一部を断面とした側面図である。
【図２１】第２実施形態のセーフティーデバイスの側面図である。
【図２２】第２実施形態のセーフティーデバイスを後方側から見た図である。
【図２３】第２実施形態の容器兼用注射器において、セーフティーデバイスを注射器本体に装着する際の戻り防止ストッパー及び外れ防止ストッパーの作用を説明する図である。
【図２４】第２実施形態の容器兼用注射器において、セーフティーデバイスを第１位置から第２位置に移動させる際の戻り防止ストッパー及び外れ防止ストッパーの作用を説明する図である。
【図２５】セーフティーデバイスが注射針を覆った状態における第２実施形態に係る容器兼用注射器の一部を断面とした側面図である。
【発明を実施するための形態】
【００３１】
以下、本発明に係る容器兼用注射器の第１の実施形態について、図面を参照して説明する。
図１に示すように、第１実施形態における容器兼用注射器１は、軸線Ｏに沿って延びる容器兼用注射器本体１０にセーフティーデバイス５０が装着されて構成されており、セーフティーデバイス５０を注射針から外れた第１位置に係脱可能に係止する第１保持手段と、セーフティーデバイス５０を容器兼用注射器本体１０の注射針３７を覆う第２位置に係止する第２保持手段と、セーフティーデバイス５０を第１位置から第２位置方向に向かって付勢するコイルスプリング（付勢手段）７０と、第１保持手段による係止を解除するスライド部材（係止解除手段）８０とを備えている。
なお、以下では、容器兼用注射器本体１０の径方向を単に径方向と、先端側を前方と、後端側を後方と称することとする。
【００３２】
図２に示すように、容器兼用注射器本体１０は、外筒２０と、該外筒２０の前端側（図２における左側）に取り付けられ、先端に注射針３７が装着されたハブルアーロック（筒先）３０と、外筒２０の後端側（図２における）に取り付けられたフィンガーグリップ４０とから構成されている。
【００３３】
外筒２０は、例えばガラスや合成樹脂等の透明部材からなり、軸線Ｏに沿って伸びる円筒形状をなしている。この外筒２０の内部には薬液（図示省略）が充填されており、該薬液の後方側が、外筒２０内に液密に設けられたストッパー（図示省略）によって封止されている。
【００３４】
ハブルアーロック３０は、適度な剛性を備えた透明な合成樹脂からなる軸線Ｏを中心とした外形多段円柱状をなしており、円筒形状をなして基端側に位置するデバイス係合部３１と、該デバイス係合部３１の先端側に一段縮径するように結合された円筒部３２と、該円筒部３２よりも小径に形成されて該円筒部３２の先端側に結合されるとともに、軸線Ｏに沿って先端側に向かって延びるルアー先３３と、該ルアー先３３の径方向外側に間隔を空けて円筒部３２の先端側に結合され、軸線Ｏを中心とした円筒状をなすルアーロック部３４とを備えている。
【００３５】
上記デバイス係合部３１の内側には、後方側に開口して上記外筒２０前端外周が嵌り込む嵌合孔３５が形成されており、これによりハブルアーロック３０が外筒２０前端に強固に一体化されるようになっている。また、該デバイス係合部３１の前方側を向く端面、即ち、デバイス係合部３１と円筒部３２との段差部は前部係合面３１ａとされ、後方側を向く端面が後部係合面３１ｂとされている。これら前部係合面３１ａ及び後部係合面３１ｂは、それぞれデバイス係合部３１における軸線Ｏを中心とした円筒面状をなす外周面３１ｃに対して直交している。
【００３６】
上記デバイス係合部３１の嵌合孔３５の前方側、即ち、円筒部３２の内側には、有底穴状をなすバイパスチャンバー３６が形成されている。このバイパスチャンバー３６は、その内径が嵌合孔３５よりも一段小径とされた有底穴であって、その内周壁には、軸線Ｏと平行に延びる複数のバイパス溝３６ａが周方向に等間隔に形成されている。これらバイパス溝３６ａはそれぞれバイパスチャンバー３６の底部３６ｂ中央まで延びている。また、このバイパス溝３６ａの後端は、バイパスチャンバー３６と嵌合孔３５との境界に軸線Ｏを中心として形成された環状溝３６ｃによって連結されている。
【００３７】
また、上記ルアー先３３はその外周面が前方側に向かうに従って縮径するテーパ外周面３３ａとされており、またその内部には、ルアー先３３内を軸線Ｏに沿って前後に貫通してバイパスチャンバー３６の底部３６ｂの中央に連通する連通孔３３ｂが穿設されている。
さらに、上記ルアーロック部３４の内周面には、注射針３７の針基を係止するためのロックネジ３４ａが形成されている。
【００３８】
注射針３７は、軸線Ｏに沿って前方側に向かって延びる注射針本体３８と、該注射針本体３８の基端側に位置する針基３９とから構成されている。針基３９は、その後端部に前方側に向かうに従って軸線Ｏを中心として漸次縮径するテーパ穴３９ａを備えており、さらに、後端部外周側に向かって突出する螺合突起３９ｂを備えている。この針基３９のテーパ穴３９ａがルアー先３３のテーパ外周面３３ａに嵌合するとともに、螺合突起３９ｂがルアーロック部３４のロックネジ３４ａに螺合することで、注射針３７がハブルアーロック前端に強固に固定一体化されている。
【００３９】
フィンガーグリップ４０は、詳しくは図３及び図４に示すように、円筒形状をなす嵌着部４１と、該嵌着部４１の後端部から径方向外側に向かって張り出すフランジ部４５とを備えている。
嵌着部４１は、その内周側が上記外筒２０の後端部が嵌め込まれる嵌着孔４２とされており、該嵌着部４１の後端側には後方に向かって開口し嵌着部よりも小径をなす挿通孔４３が形成されている。
また、該嵌着部４１の後端外周部には、周方向に１８０°の間隔を空けて、かつ、軸線Ｏ方向の同一位置に、径方向外側に向かって略円柱状に突出する一対の係止凸部（係止部）４４，４４が形成されている。
さらに、この係合凸部４４，４４の直ぐ前方側の嵌着部４１の外周面には、軸線Ｏを中心とした環状をなして前方側を向くスプリング当接段部４１ａが形成されている、このスプリング当接段部４１ａには、コイルスプリング７０の後端部が当接する。
【００４０】
フランジ部４５は、後方視において、上記係止凸部４４，４４を通る直線ｋ１に沿った方向が短手方向とされ、直線ｋ１及び軸線Ｏに直交する直線ｋ２に沿った方向が長手方向とされた略矩形状をなしている。また、該フランジ部４５の後方側を向く面は平坦状をなすフランジ面４６とされており、該フランジ面４６の中央に上記挿通孔４３が円形をなして開口している。
【００４１】
図４に示すように、フランジ部４５の直線ｋ１を境界とした一方側（図３及び図４における直線ｋ１を境界とした上側）のフランジ面４６上には、直線ｋ２を中心として両側に所定間隔離間した位置に一対の第１ガイド部４７，４７が設けられている。この第１ガイド部４７，４７は、フランジ面４６から垂直に立設されるとともに直線ｋ２と平行に延在する側方ガイド４７ａ，４７ａと、これら側方ガイド４７ａ，４７ａの上縁における直線ｋ１寄り、即ち後方視における上記係止凸部４４，４４寄りの部分からそれぞれ互いに近接する方向、即ち直線ｋ２に向かう方向に延在する上方ガイド４７ｂ，４７ｂとから構成されている。
さらに、この一方側のフランジ面４６の直線ｋ２上、かつ、直線ｋ１側の反対側寄り、即ち、径方向外側寄りの位置には、球面状に窪む係止凹部４６ａが形成されている。
【００４２】
また、フランジ部４５の直線ｋ１を境界とした他方側（図３及び図４における直線ｋ１を境界とした下側）のフランジ面４６上には、直線ｋ２を中心として両側に所定間隔離間した位置に一対の第２ガイド部４８，４８が設けられている。この第２ガイド部４８，４８は、図３〜図５に示すように、フランジ面４６から垂直に立設されるとともに直線ｋ２と平行に延在する側方ガイド４８ａ，４８ａと、これら側方ガイド４８ａ，４８ａの上縁からからそれぞれ互いに近接する方向、即ち直線ｋ２に向かう方向に延在する上方ガイド４８ｂ，４８ｂとから構成された略Ｌ字状をなしている。なお、これら一対の第２ガイド部４８，４８の離間距離は、上記一対の第１ガイド部４７，４７の離間距離よりも一段小さなものとされている。
【００４３】
このような部材から構成される容器兼用注射器本体１０の外周には、セーフティーデバイス５０が装着される。このセーフティーデバイス５０は図１、図６及び図７に示すように、セーフティーデバイス本体５１と押圧リング６０とから構成されている。
【００４４】
セーフティーデバイス本体５１は、例えばポリプロピレン等の透明で適度な可撓性を有する材質によって強度が維持できる範囲で薄く成形され、図６及び図７に示すように軸線Ｏを中心とした略円筒形状をなしている。なお、このセーフティーデバイス本体５１の内径は、上記デバイス係合部３１の外周面３１ｃの外径と略同一に形成されている。
セーフティーデバイス本体５１の後端側部分は他の部分に比べて一段拡径しており、このように拡径することによりその内周面に形成された後方を望む段差部が、コイルスプリング７０の先端側が当接するバネ受け部５２とされている。
【００４５】
このバネ受け部５２のすぐ前方側には、径方向内側に向かって突出し、前方側に向かうに従って径方向内側に傾斜する傾斜面５３ａを有する外れ防止ストッパー５３が、周方向に等間隔を空けて複数形成されている。
【００４６】
さらに、外れ防止ストッパー５３の前方側には、押圧リング６０により径方向内側に押圧されることによって、内周面から径方向内側に突出する戻り防止ストッパー５４が、周方向に等間隔を空けて複数設けられている。なお、本実施形態においては、外れ防止ストッパー５３と戻り防止ストッパー５４とが周方向の位置が一致した状態で配置されているが、互いに周方向の位置が異なるように配置されていてもよい。
【００４７】
この戻り防止ストッパー５４は、図７に示すように、押圧リング６０に押圧されていない非押圧状態においては、その後方側及び周方向両側の三方向を囲むようにコの字スリット５５が形成されており、これによって径方向に沿って板バネ状に撓むように構成されている。また、非押圧状態において、戻り防止ストッパー５４の外周側を向く面は、後方に向かうに従って径方向外側に向かって漸次傾斜する被押圧面５４ａとされている。この被押圧面５４ａが押圧リング６０によって径方向内側に押圧されることで、戻り防止ストッパー５４の内周側を向く面が、後方側に向かって径方向内側に傾斜する傾斜面５４ｂとされる。
【００４８】
上記外れ防止ストッパー５３と戻り防止ストッパー５４とによって、セーフティーデバイス５０が前方側に移動して注射針３７を覆った第２位置において該セーフティーデバイス５０を係止する第２保持手段が構成されている。
【００４９】
また、上記戻り防止ストッパー５４の前方側及びコの字スリット５５を介しての後方側には、
該戻り防止ストッパー５４を軸線Ｏ方向両側から挟むようにして、一対のリング二次停止突起５６ａ，５６ｂが設けられている。
この一対のリング二次停止突起５６ａ，５６ｂのうち、前方側に位置するリング二次停止突起５６ａは、後方側に向かうに従って漸次径方向外側に拡径するように傾斜しており、後方側に位置するリング二次停止突起５６ｂは、前方側に向かうに従って漸次径方向外側に拡径するように傾斜している。
また、前方側のリング二次停止突起５６ａのさらに前方側には、径方向外側に向かって突出したリング一次停止突起５７が周方向に一定間隔空けて複数形成されている。
【００５０】
上記セーフティーデバイス本体５１に装着される押圧リング６０は、図６及び図７に示すように、軸線Ｏ方向の長さがセーフティーデバイス本体５１よりも十分に短い円筒形状を有しており、例えばポリプロピレン等の透明で適度な可撓性を有する材質によって強度が維持できる範囲に薄く成形されている。また、この押圧リング６０の内径はセーフティーデバイス本体５１の外周面の外径と略同一に形成されており、これによって、セーフティーデバイス本体５１の外周面を軸線Ｏ方向に沿って摺動することができるようになっている。
【００５１】
このような押圧リング６０は、戻り防止ストッパー５４の非押圧状態においては、図７に示すように、リング一次停止突起５７の直ぐ後方側に位置しており、該リング一次停止突起５７によって、それ以上前方側に移動しないように固定されている。また、この状態において、押圧リング６０の後端は前方側のリング二次停止突起５６ａの傾斜に当接しており、これによって、押圧リング６０が不用意に後方側に移動することがないよう係止されている。
【００５２】
この押圧リング６０によって戻り防止ストッパー５４を押圧状態にするには、押圧リング６０をセーフティーデバイス本体５１に対して後方側に相対移動させる。この際、この相対移動させる力がある程度大きいと、押圧リング６０の内周面が前方側のリング二次停止突起５６ａの傾斜を乗り上げるようにして後方側への移動が可能となる。
そして、このようにしてリング二次停止突起５６ａを乗り越えた押圧リング６０は、その内周面でもって戻り防止ストッパー５４の被押圧面を押圧し、これによって、図７に示すように、戻り防止ストッパー５４が径方向内側に向かって突出する。なお、この際、押圧リング６０は、前方側及び後方側がリング二次停止突起５６ａ，５６ｂに当接し、該押圧リング６０の軸線Ｏ方向の移動が固定される。
【００５３】
そして、このようなセーフティーデバイス５０におけるセーフティーデバイス本体５１には、その外周面の後端から後方に向かって軸線Ｏに平行に矩形板状に延出する係合板（係合部）５８が、互いに平行に対向するようにして周方向に１８０°間隔を空けて一対形成されている。この係合板５８は、セーフティーデバイス本体５１の外周面との接続部５８ａを支点として径方向に向かって弾性変形可能とされており、その厚み方向（径方向）に貫通して形成された円形の係合孔５８ｂを備えている。この係合孔５８ｂの内径は、容器兼用注射器本体１０におけるフィンガーグリップ４０の嵌着部４１に形成された係止凸部４４の外径と略同一に形成されており、係合孔５８ｂ内に係止凸部４４が嵌め込まれることで、係止凸部４４が係合板５８を係止するようになっている。なお、これら係合板５８と係止凸部４４との係止を解除するには、係合板５８を接続部５８ａを支点として径方向外側に弾性変形させて係止凸部４４が係合孔５８ｂから外れるようにすればよい。
【００５４】
以上のような構成のセーフティーデバイス５０は、図１に示すように、容器兼用注射器本体１０に外嵌される。なお、この状態のセーフティーデバイス５０においては押圧リング６０が戻り防止ストッパー５４を押圧した状態にあり、これにより戻り防止ストッパー５４が径方向内側に向かって突出している。
この際、セーフティーデバイス５０の後端側の拡径部分にはフィンガーグリップ４０の嵌着部４１に対して径方向に隙間を空けて外嵌され、この隙間部分に軸線Ｏ方向に伸縮可能とされた円筒状をなすコイルスプリング７０が、その前端側をセーフティーデバイス本体５１の内周側に形成されたバネ受け部５２に、その後端側をフィンガーグリップ４０の嵌着部４１のスプリング当接段部４１ａにそれぞれ当接するようにして圧縮状態にて収納される。
また、セーフティーデバイス５０の一対の係合板５８，５８の係合孔５８ｂ、５８ｂにフィンガーグリップ４０の係止凸部４４，４４がそれぞれ嵌め込まれ、係合板５８，５８と係止凸部４４，４４とが係止状態となる。これによって、フィンガーグリップ４０に対してセーフティーデバイス５０が固定されるため、上記コイルスプリング７０を圧縮状態で収納することが可能となり、さらに、セーフティーデバイス５０自体のコイルスプリング７０の付勢力による移動が阻止される。
【００５５】
このように、セーフティーデバイス５０の係合板５８とフィンガーグリップ４０の係止凸部４４とが係止状態にある際には、セーフティーデバイス５０は、容器兼用注射器本体１０の外筒２０及びハブルアーロック３０の外周側を覆っており、この状態のセーフティーデバイス５０の位置が、該セーフティーデバイス５０が注射針３７から外れて該注射針３７を露呈させた第１位置とされている。また、係合板５８と係止凸部４４とで、セーフティーデバイス５０を第１位置に係止する第１保持手段が構成されている。
【００５６】
なお、セーフティーデバイス５０が第１位置に位置している際には、該セーフティーデバイス５０の係合板５８の端部は、フィンガーグリップ４０のフランジ面４６よりも後方側に突出するように延びている。
【００５７】
次に、上記第１保持手段による係止を解除するスライド部材（係止解除手段）８０について説明する。このスライド部材８０は、上記フィンガーグリップ４０のフランジ面４６上をスライド可能に配置されるものであって、略矩形板状をなすスライド板８１と、該スライド板８１の表板面（容器兼用注射器１の後方側を向く面）８１ａから垂直に延出する操作板８７とを備えている。また、このスライド部材８０は、容器兼用注射器１の後方視において、図９に示すように、直線ｍ１を中心とした対称形状をなしている。
【００５８】
スライド板８１は、上記直線ｍ１の延在方向を長手方向と、該長手方向に直交する方向を短手方向とした略矩形板状をなしている。また、表板面８１ａの厚み方向に対向する面は、裏板面８１ｂとされており、該裏板面８１ｂがフランジ面４６と接触することでフランジ面４６上をスライド可能とされている。また、裏板面８１ｂにおける長手方向の一方側寄り（図９における上側）かつ、短手方向中央部、即ち、直線ｍ１上の位置には、凸曲面状に突出するスライド板係止部８１ｃが形成されている。該スライド板係止部８１ｃは上記フィンガーグリップ４０のフランジ面４６の係止凹部４６ａと係止可能とされている。
【００５９】
また、スライド板８１の長手方向に沿った一対の側面８２，８２同士の間隔は、上記一方側よりも他方側（図９における下方側）の方が狭いものとなっており、即ち、側面８２，８２は、それぞれ、一方側寄りに位置し互いに所定の間隔で離間する第１側面８２ａ，８２ａと、他方側寄りに位置し第１側面８２ａ，８２ａ同士の間隔よりも小さい間隔で互いに離間する第２側面８２ｂ，８２ｂを備えている。そして、それぞれの側面８２、８２において、上記第１側面８２ａ，８２ａと第２側面８２ｂ，８２ｂとの境界部が、一方側から他方側に向かうに従って、互いに近接する方向、即ち、フランジ面４６に配置された状態における径方向に向かって漸次傾斜する傾斜側面８２ｃ，８２ｃとされている。
【００６０】
また、図９に示すように、スライド板８１の短手方向の中央部、即ち、直線ｍ１上には、該スライド板８１を厚み方向に貫通する貫通孔８３が形成されている。
この貫通孔８３は、他方側寄りに配置され、所定の内径Ｄ１を有する大径孔８４と、該大径孔８４から上記一方側に向かって所定の内径Ｄ２を維持したまま連続的に延びる小径スリット８５とから構成されている。なお、小径スリット８５の内径Ｄ２は、大径孔８４の内径Ｄ１よりも小さなものとされている。
【００６１】
そして、上記のようなスライド板８１の貫通孔８３よりもさらに一方側には、表板面８１ａから垂直に立設されるとともに、短手方向に延在する板状をなす操作板８７が設けられている。
【００６２】
このようなスライド部材８０をフィンガーグリップ４０に取り付けた状態を図１１に示す。スライド部材８０は、その裏板面８１ｂをフランジ部４５のフランジ面４６に面接触させて、該フランジ面４６の一方側（図１１における上側）寄りに配置される。この際、スライド部材８０の一対の第１側面８２ａ，８２ａが、フランジ部４５の第１ガイド部４７，４７の側方ガイド４７ａ，４７ａにそれぞれ接触し、スライド部材８０の一対の第２側面８２ｂ，８２ｂが第２ガイド部４８，４８の側方ガイド４８ａ，４８ａに接触する。また、スライド部材８０の第１側面８２ａ，８２ａが、上記第１位置にあるセーフティーデバイス５０の係合板５８，５８の内側面にそれぞれ接触している。さらに、スライド部材８０の貫通孔８３のうち、大径孔８４の中心が軸線Ｏに一致し、これにより、大径孔８４とフィンガーグリップ４０の後端の挿通孔４３（図１１において図示省略）とが連通状態となる。
【００６３】
このように、第２側面８２ｂ，８２ｂが係合板５８，５８に接触し、かつ、大径孔８４の中心が軸線Ｏに一致した状態が、スライド部材８０が容器兼用注射器１の径方向外側寄りに位置された待機位置とされている。この待機位置においては、スライド部材８０はスライド板係止部８１ｃをフランジ面４６の係止凹部４６ａに嵌め込むことによって、フランジ面４６上に係止されている。
【００６４】
また、図１３に示すように、スライド部材８０が容器兼用注射器１の径方向内側に向かって、即ち、スライド方向に向かってスライドし、該スライド部材８０の第１側面８２ａ，８２ａが係合板５８，５８に接触し、小径スリット８５内に軸線Ｏが存在する位置が、スライド部材８０が容器兼用注射器１の径方向内側寄りに位置された解除位置とされている。なお、この際、軸線Ｏと小径スリット８５の最も一方側に位置する端部との距離は、少なくとも小径スリット８５の内径Ｄ２の半分以上の長さとされている。
【００６５】
このような容器兼用注射器１には、外筒２０内を後方側から液密に密封するストッパー（図示省略）を前方側に向かって押し込むプランジャロッド９０が、その後方側からスライド部材８０の貫通孔８３及びフィンガーグリップ４０の挿通孔４３を貫通して外筒２０に挿入されている。
このプランジャロッド９０は、図１３に示すように、軸線Ｏに沿って延びるロッド部９１を備えており、該ロッド部９１の前端側に、ストッパーにねじ込まれて該ストッパーに連結されるねじ込み部９４が設けられ、その後端側に、ストッパーを押し込む際に圧力をかける押し込み部９５が設けられている。
また、上記ロッド部９１は、互いに外径の異なる大径ロッド部９２と小径ロッド部９３とを有している。
【００６６】
大径ロッド部９２は、図１４に示すように、軸線Ｏに直交する断面形状が、略円形に対してその一方側及び該一方側と対向する他方側から、それぞれ２つのスリット９２ａを刻んだ形状をなしている。
また、この大径ロッド部９２の外径ｄ１は、上記スライド部材８０の大径孔８４の内径Ｄ１と等しいか僅かに小さく、かつ小径スリット８５の内径Ｄ２よりも大きく形成されている。これにより、大径ロッド部９２は、貫通孔８３に対して、大径孔８４に挿通可能かつ小径スリット８５に挿通不能とされている。
小径ロッド部９３は、図１５に示すように、軸線Ｏに直交する断面形状が、略円形に対して、周方向等間隔の４箇所をＬ字状に切り欠いて形成された略十字状をなしている。
また、この小径ロッド部９３の外径ｄ２は、上記スライド部材８０の小径孔８５ａの内径Ｄ２と同一か僅かに小さく形成されている。これにより、小径ロッド部９３は、貫通孔８３に対して、大径孔８４と小径孔８５ａとの両方に挿通可能とされている。
そして、ロッド部９１においては、図１３に示すように、上記大径ロッド部９２が大部分を占めるように軸線Ｏ方向に延びており、第大径ロッド部９２の後端側に絞り込まれるようにして小径ロッド部９３が形成されている。
【００６７】
このようなプランジャロッド９０は、該プランジャロッド９０が最も後方に引かれてストッパーを前方に移動させる前である注射前、及び、プランジャロッド９０を前方側に向かって押し込んでストッパを前方に移動させる注射動作時においては、ロッド部９１のうち大径ロッド部９２がスライド部材８０の貫通孔８３、即ち大径孔８４を挿通した状態となる。
一方、プランジャロッド９０が最も前方に押し込まれてストッパが最前方に移動した注射完了時には、ロッド部９１のうち小径ロッド部９３がスライド部材８０の貫通孔８３を挿通した状態となる。
【００６８】
以上のような構成の容器兼用注射器１は、注射完了後にスライド部材８０をスライドさせることにより、セーフティーデバイス５０によって注射針３７を覆うことができる。以下、その手順について説明する。
図１６は注射前におけるフィンガーグリップ４０及びスライド部材８０を後方側から見た図である。この状態においては、スライド部材８０が待機位置に配置されており、プランジャロッド９０の大径ロッド部９２がスライド部材８０の貫通孔８３の大径孔８４を挿通している。この際、フィンガーグリップ４０を持った状態でスライド部材８０の操作板８７を例えば親指で押すことによりスライド部材８０を待機位置から解除位置側にスライドさせようとしても、プランジャロッド９０の大径ロッド部９２の外径ｄ１が小径スリット８５の内径Ｄ２よりも大きいために、大径ロッド部９２を小径スリット８５に挿通状態とすることができず、スライド部材８０のスライド移動が妨げられる。したがって、この状態において、スライド部材８０を解除位置にスライドさせることはできない。
【００６９】
また、プランジャロッド９０を押し込んで患者に対して注射行為を行う注射動作時においても、スライド部材８０の貫通孔８３にプランジャロッド９０の大径ロッド部９２が挿通された状態にあるため、上記注射前と同様にスライド部材８０を解除位置にスライドさせることはできない。
【００７０】
そして、プランジャロッド９０を前方まで完全に押し込み、患者に対して注射行為を終えた注射完了時においては、図１７に示すように、プランジャロッド９０の小径ロッド部９３がスライド部材８０の貫通孔８３内に挿通状態となる。この際、小径ロッド部９３の外径ｄ２が小径スリット８５の内径Ｄ２よりも小さいことから、スライド部材８０をスライド方向にスライドさせると、小径ロッド部９３が大径孔８４から小径スリット８５に入り込むようにして、小径スリット８５を挿通した状態になる。これによって、小径ロッド部９３がスライド移動の妨げとなることはなく、スライド部材８０を解除位置にスライドさせることができる。
【００７１】
そして、スライド部材８０の待機位置から解除位置への移動の際には、図１６に示すように待機位置においてスライド部材８０の第２側面８２ｂ，８２ｂと当接状態にあった係合板５８，５８が、スライド移動に伴って傾斜側面８２ｃ，８２ｃを乗り上げて、図１７に示すように、スライド部材８０の第１側面８２ａ，８２ａに当接状態となる。即ち、傾斜側面８２ｃ，８２ｃを乗り上げる際に、一対の係合板５８，５８がセーフティーデバイス本体５１の外周面との接続部５８ａを支点として径方向外側に向かって互いに離間するようにそれぞれ弾性変形するのである。
これによって、係合板５８の係合孔５８ｂからフィンガーグリップ４０の係止凸部４４が外れ、これら係合板５８と係止凸部４４との係止状態、即ち、第１保持手段による係止状態が解除される。
【００７２】
このように第１保持手段によるセーフティーデバイス５０の係止状態が解除されると、コイルスプリング７０の付勢力によって該セーフティーデバイス５０は容器兼用注射器本体１０の前方側へ移動する。このとき、戻り防止ストッパー５４の傾斜面５４ｂがデバイス係合部３１の後部係合面３１ｂに当接するが、当該後部係合面３１ｂが傾斜面５４ｂを乗り上げるようにしてセーフティーデバイス５０の内周が拡径し、戻り防止ストッパー５４がデバイス係合部３１を乗り越える。
【００７３】
その後、図１９に示すように、注射針３７の周囲がセーフティーデバイス５０によって完全に覆われる位置である第２位置に移動すると、外れ防止ストッパー５３とデバイス係合部３１の後部係合面３１ｂとが係合し、セーフティーデバイス５０のそれ以上の前方への移動が阻止される。さらに、この状態でセーフティーデバイス５０を後端方向へ移動させようとしても、戻り防止ストッパー５４とデバイス係合部３１の前部係合面３１ａとが係合するため、その移動は阻止される。即ち、外れ防止ストッパー５３と戻り防止ストッパー５４とからなる第２保持手段によって、セーフティーデバイスが第２位置に係止される。
【００７４】
以上のような容器兼用注射器１によれば、係止解除手段としてのスライド部材８０を待機位置から解除位置にスライド移動させる動作をもって、第１保持手段（係合板５８と係止凸部４４）によるセーフティーデバイス５０の第１位置での係止を解除することができる。これによって、セーフティーデバイス５０が注射針を覆う第２位置に移動するため、容易かつ確実に注射針を覆って取扱い性及び安全性を向上させることが可能となる。
【００７５】
また、スライド部材８０のスライド移動は、フィンガーグリップ４０を片手で持った状態で該フィンガーグリップ４０を持った手の親指で容易に行うことができるため、片手のみの作業でもってセーフティーデバイス５０を前方側に移動させることができる。従って、取扱い性に優れた容器兼用注射器１を提供することが可能となる。
【００７６】
さらに、本実施形態の容器兼用注射器１においては、スライド部材８０を待機位置から解除位置にスライド移動させる際に、スライド部材８０の傾斜側面８２ｃがセーフティーデバイス５０の係合板５８を径方向外側に向かって押し上げることにより、該係合板５８と係止凸部４４とからなる第１保持手段による係止を容易かつ確実に解除することができる。
【００７７】
また、注射前及び注射動作時には、プランジャロッド９０の大径ロッド部９２の存在によってスライド部材８０のスライド移動が妨げられ、注射完了時には、スライド部材８０の貫通孔８３をプランジャロッド９０の小径ロッド部９３が挿通した状態となることによりスライド部材８０のスライド移動が許容される。
したがって、注射完了時のみに、スライド部材８０を待機位置から解除位置にスライドさせることができるため、注射前や動作時にセーフティーデバイス５０が誤作動してしまうことを確実に防止することが可能となる
【００７８】
さらに、一旦セーフティーデバイス５０によって注射針３７が覆われれば、デバイス係合部３１が外れ防止ストッパー５３と戻り防止ストッパー５４とによって軸線Ｏ方向両側から固定される。即ち、外れ防止ストッパー５３と戻り防止ストッパー５４とからなる第２保持手段によって、セーフティーデバイス５０を第２位置に確実に係止することができる。したがって、セーフティーデバイス５０が前端方向に進み過ぎて容器兼用注射器本体１０から外れたり、後端方向に移動して注射針３７が露出したりすることはない。
【００７９】
さらにまた、セーフティーデバイス５０の戻り防止ストッパー５４は、押圧リング６０によって押圧した場合のみ径方向内側に突出する構成とされているため、セーフティーデバイス５０を容器兼用注射器本体１０に容易に装着しつつも、セーフティーデバイス５０を注射針を覆った位置で確実に固定することが可能となる。
即ち、セーフティーデバイス５０を前方から容器兼用注射器本体１０の外周に装着する際に、外れ防止ストッパー５３の傾斜面５３ａが前部係合面３１ａに当接し、セーフティーデバイス５０の内周を容易に撓ませることによって、外れ防止ストッパー５３がデバイス係合部３１を速やかに乗り越えることができる。また、この装着の際に、戻り防止ストッパー５４を径方向内側に突出していない状態にしておくことができるため、該戻り防止ストッパー５４がデバイス係合部３１に当接することはない。よって、外れ防止ストッパー５３及び戻り防止ストッパー５４を備えようとも、セーフティーデバイスの装着を容易に行うことが可能となる。
【００８０】
次に、本発明に係る容器兼用注射器の第２の実施形態について説明する。第２実施形態の容器兼用注射器２は、ハブルアーロック３０の形状について第１の実施形態とは相違する。さらに、第２実施形態の容器兼用注射器２は、セーフティーデバイス５０において、より詳しくはセーフティーデバイス５０を注射針３７を覆う第２位置に固定する第２保持手段において、第１の実施形態の容器兼用注射器１とは相違する。
第２実施形態の容器兼用注射器２は、上記ハブルアーロック３０及びセーフティーデバイス５０以外の構成要素については第１の実施形態と同様とされている。したがって、図２０〜２５において、第１の実施形態と同様の構成要素には、同一の符号を付して詳細な説明を省略する。また、第１の実施形態ど同様に、容器兼用注射器本体１０の径方向を単に径方向と、先端側を前方と、後端側を後方と称することとする。
【００８１】
図２０に示すように、第２実施形態のハブルアーロック１００は、適度な剛性を備えた透明な合成樹脂からなる軸線Ｏを中心とした外形多段円柱状をなしており、円筒形状をなして基端側に位置する基端部１０１と、基端部１０１の前端側に一段縮径するように結合された円筒部１０２と、該円筒部１０２よりも小径に形成されて該円筒部１０２の先端側に結合されるとともに、軸線Ｏに沿って先端側に向かって延びるルアー先１０３と、該ルアー先１０３の径方向外側に間隔を空けて円筒部１０２の先端側に結合され、軸線Ｏを中心とした円筒状をなすルアーロック部１０４とを備えている。
【００８２】
上記基端部１０１の内側には、後方側に開口して外筒２０前端外周が嵌り込む嵌合孔１０５が形成されており、これによりハブルアーロック１００が外筒２０前端に強固に一体化されるようになっている。
【００８３】
上記基端部１０１の該嵌合孔１０５の前方側、即ち、円筒部１０２の内側には、有底穴状をなすバイパスチャンバー１０６が形成されている。このバイパスチャンバー１０６は、その内径が嵌合孔１０５よりも一段小径とされた有底穴であって、その内周壁には、軸線Ｏと平行に延びる複数のバイパス溝１０６ａが周方向に等間隔に形成されている。これらバイパス１０６ａはそれぞれバイパスチャンバー１０６の底部１０６ｂ中央まで延びている。また、このバイパス溝１０６ａの後端は、バイパスチャンバー１０６と嵌合孔１０５との境界に軸線Ｏを中心として形成された環状溝１０６ｃによって連結されている。
【００８４】
また、上記ルアー先１０３はその外周面が前方側に向かうに従って縮径するテーパ外周面１０３ａとされており、またその内部には、ルアー先１０３内を軸線Ｏに沿って前後に貫通してバイパスチャンバー１０６の底部１０６ｂの中央に連通する連通孔１０３ｂが穿設されている。
さらに、上記ルアーロック部１０４の内周面には、注射針３７の針基を係止するためのロックネジ１０４ａが形成されている。
【００８５】
そして、このようなハブルアーロック１００の後端部、即ち、基端部１０１の後端部には、径方向外側に向かって環状をなすように張り出すデバイス係合部１１０が一体に形成されている。このデバイス係合部１１０は、その径方向外側を向く円筒面が外周面１１０ｃとされている。
また、デバイス係合部１１０の前方側を向く端面、即ち、デバイス係合部１１０と円筒基端部１０１との段差部は前部係合面１１０ａとされ、後方側を向く端面が後部係合面１１０ｂとされている。これら前部係合面１１０ａ及び後部係合面１１０ｂは、外周面１１０ｃに対して直交している。
【００８６】
第２実施形態のセーフティーデバイス１２０は、例えばポリプロピレン等の透明で適度な可撓性を有する材質によって強度が維持できる範囲で薄く成形され、図２１及び図２２に示すように軸線Ｏを中心とした略円筒形状をなしている。なお、このセーフティーデバイス１２０の内周面１２０ａの内径は、上記デバイス係合部１１０の外周面１１０ｃの外径と略同一か僅かに大きい程度に形成されている。
【００８７】
このセーフティーデバイス１２０の後端側部分は他の部分に比べて一段拡径しており、このように拡径することによりその内周面に形成された後方を望む段差部が、コイルスプリング７０の先端側が当接するバネ受け部１２２とされている。
【００８８】
このバネ受け部１２２のすぐ前方側には、径方向内側に向かって突出し、前方側に向かうに従って径方向内側に傾斜する傾斜面１２３ａを有する外れ防止ストッパー１２３が、周方向に等間隔を空けて複数（本実施形態では４つ）形成されている。
【００８９】
さらに、外れ防止ストッパー１２３の前方側、より詳細には、上記デバイス係合部の軸線Ｏ方向の長さ分だけ前方側には、径方向内側に向かって突出し、後方側に向かうに従って径方向内側に傾斜する傾斜面１２４ａを有する戻り防止ストッパー１２４が、周方向に等間隔を空けて複数（本実施形態では４つ）形成されている。
【００９０】
なお、本実施形態においては、外れ防止ストッパー１２３と戻り防止ストッパー１２４とが、セーフティーデバイス１２０の周方向の異なる箇所にそれぞれ形成されているが、これら外れ防止ストッパー１２３と戻り防止ストッパー１２４とが、周方向が一致する箇所に形成されていてもよい。
【００９１】
上記のような外れ防止ストッパー１２３と戻り防止ストッパー１２４とは、セーフティーデバイス１２０の内周面１２０ａからの高さ、即ち、該内周面１２０ａからの径方向内側方向への高さは、互いに異なるものとされている。
より詳細には、本実施形態においては、戻り防止ストッパー１２４の内周面１２０ａからの高さが、外れ防止ストッパー１２３の内周面１２０ａからの高さよりも低く形成されている。なお、複数の外れ防止ストッパー１２３の内周面１２０ａからの高さはそれぞれ同一とされ、また、複数の戻り防止ストッパー１２４の内周面１２０ａからの高さもそれぞれ同一とされている。
【００９２】
また、外れ防止ストッパー１２３の周方向から戻り防止ストッパー１２４の周方向にかけては、軸線Ｏに平行に延びるスリット１２５が周方向に間隔を空けて複数形成されている。
【００９３】
そして、このようなセーフティーデバイス１２０には、その外周面の後端から後方に向かって軸線Ｏに平行に矩形板状に延出する係合板（係合部）１２８が、周方向に１８０°間隔を空けて一対形成されている。この係合板１２８は、セーフティーデバイス１２０の外周面との接続部１２８ａを支点として径方向に沿って弾性変形可能とされており、その厚み方向、即ち径方向に貫通して形成された円形の係合孔１２８ｂを備えている。この係合孔１２８ｂの内径は、容器兼用注射器本体１０におけるフィンガーグリップ４０の嵌着部４１に形成された係止凸部４４の外径と略同一に形成されており、これにより、係合孔１２８ｂ内に係止凸部４４が嵌め込まれて、係合板１２８と係止凸部４４とが互いに係止するようになっている。なお、これら係合板５８と係止凸部４４との係止を解除するには、係合板１２８を接続部１２８ａを支点として径方向外側に弾性変形させて係止凸部４４が係合孔１２８ｂから外れるようにすればよい。即ち、この係合板１２８は、第１実施形態の係合板５８と同一の構成、機能を有している。
【００９４】
以上のような構成のセーフティーデバイス１２０は、図２０に示すように、容器兼用注射器本体１０に外嵌される。
この際、該セーフティーデバイス１２０の後端側の拡径部分はフィンガーグリップ４０の嵌着部４１が径方向に隙間を空けて外嵌され、この隙間部分に、軸線Ｏ方向に伸縮可能とされた円筒状をなすコイルスプリング７０が、圧縮された状態で、その前端側をセーフティーデバイス１２０の内周側に形成されたバネ受け部１２２に、その後端側をフィンガーグリップ４０の嵌着部４１のスプリング当接段部４１ａにそれぞれ当接するように収納される。
また、セーフティーデバイス１２０の一対の係合板１２８，１２８の係合孔１２８ｂ、１２８ｂにフィンガーグリップ４０の係止凸部４４，４４がそれぞれ嵌め込まれ、係合板１２８，１２８と係止凸部４４，４４とが係止状態となる。これによって、フィンガーグリップ４０に対してセーフティーデバイス１２０が固定されるため、上記コイルスプリング７０を圧縮状態で収納することが可能となり、さらに、セーフティーデバイス１２０自体がコイルスプリング７０の付勢力によって移動することはない。
【００９５】
なお、このように、セーフティーデバイス１２０の係合板１２８とフィンガーグリップ４０の係止凸部４４とが係止状態にある際には、セーフティーデバイス１２０は、容器兼用注射器本体１０の外筒２０及びハブルアーロック１００の外周側を覆っており、この状態のセーフティーデバイス１２０の位置が、該セーフティーデバイス１２０が注射針３７から外れて該注射針３７を露呈させた第１位置とされている。また、係合板１２８と係止凸部４４とで、セーフティーデバイス１２０を第１位置に係止する第１保持手段が構成されている。この点は、第１実施形態と同様である。
なお、セーフティーデバイス１２０が第１位置に位置している際には、該セーフティーデバイス１２０の係合板１２８の端部は、フィンガーグリップ４０のフランジ面４６よりも後方側に突出するように延びている。
【００９６】
以上のような容器兼用注射器２によれば、第１実施形態と同様に、係止解除手段としてのスライド部材８０を待機位置から解除位置にスライド移動させる動作をもって、第１保持手段（係合板１２８と係止凸部４４）によるセーフティーデバイス１２０の第１位置での係止を解除されセーフティーデバイス１２０が注射針３７を覆う第２位置に移動するため、容易かつ確実に注射針を覆って取扱い性及び安全性を向上させることが可能となる。
また、スライド部材８０のスライド移動は、フィンガーグリップ４０を片手で持った状態で該フィンガーグリップ４０を持った手の親指で容易に行うことができるため、片手のみの作業でもってセーフティーデバイス１２０を前方側に移動させることができる。従って、取扱い性に優れたセーフティーデバイス１２０を備えた容器兼用注射器２を提供することが可能となる。
【００９７】
また、第２実施形態の容器兼用注射器２によれば、簡易な構成でもって、セーフティーデバイス１２０を外筒２０の外周に容易に装着でき、かつ、セーフティーデバイス１２０を注射針を覆った位置で確実に固定することができる。以下この点について図２３及び図２４を用いて説明する。
【００９８】
図２３に、セーフティーデバイス１２０を容器兼用注射器本体１０の前方側から装着する際のセーフティーデバイス１２０及びデバイス係合部１１０の模式図を示す。この図２３においては、説明を簡単にするために、外れ防止ストッパー１２３と戻り防止ストッパー１２４との周方向の位置を同一にしている。
図２３（ａ）に示すように、上記装着の際には、容器兼用注射器本体１０のハブルアーロック１００のデバイス係合部１１０がセーフティーデバイス１２０の内側を後方から前方に向かって相対移動する。
【００９９】
そして、図２３（ｂ）に示すように、外れ防止ストッパー１２３の傾斜面１２３ａがデバイス係合部１１０の前部係合面１１０ａに当接し、該デバイス係合部１１０が傾斜面１２３ａを乗り上げることで、外れ防止ストッパー１２３の位置におけるセーフイティーデバイス１２０内周面１２０ａが撓む。これにより、該内周面１２０ａはデバイス係合部１１０が通過可能な内径まで拡径させられ、デバイス係合部１１０が外れ防止ストッパーを乗り越えて前方側へ通過することが可能となる。
【０１００】
また、外れ防止ストッパー１２３の位置における内周面１２０ａの撓みは、戻り防止ストッパー１２４の位置における内周面１２０ａにも影響を与え、該戻り防止ストッパー１２４の内周面１２０ａも拡径することになる。なお、スリット１２５が形成されていることにより、外れ防止ストッパー１２３及び戻り防止ストッパー１２４はそれぞれ拡径し易くなっている。
この際、戻り防止ストッパー１２４は外れ防止ストッパー１２３から離間した位置にあるため、戻り防止ストッパー１２４の内周面の拡径量は外れ防止ストッパー１２３の周囲の内周面の拡径量よりも小さなものとなる。
ここで、戻り防止ストッパー１２４の高さが外れ防止ストッパー１２３の高さよりも低く形成されていることから、外れ防止ストッパー１２３の拡径量が戻り防止ストッパー１２４の拡径量よりも小さくても、図２３（ｃ）に示すように、デバイス係合部１１０が戻り防止ストッパー１２４を乗り越えて通過することができる。
【０１０１】
図２４に、セーフティーデバイス１２０によって注射針３７を覆うべく、該セーフティーデバイス１２０を第１位置から第２位置まで移動させる際のセーフティーデバイス１２０とデバイス係合部１１０との模式図を示す。
図２４（ａ）に示すように、セーフティーデバイス１２０を第１位置から第２位置に移動させる際には、容器兼用注射器本体１０のハブルアーロック１００のデバイス係合部１１０がセーフティーデバイス１２０の内側を前方から後方に向かって相対移動する。
【０１０２】
そして、図２４（ｂ）に示すように、戻り防止ストッパー１２４の傾斜面１２４ａがデバイス係合部１１０の後部係合面１１０ｂに当接し、戻り防止ストッパー１２４の位置におけるセーフティーデバイス１２０の内周面１２０ａが撓んでデバイス係合部１１０が通過可能な内径まで拡径させられる。これにより、デバイス係合部１１０が戻り防止ストッパー１２４を乗り越えて通過する。
また、戻り防止ストッパー１２４の位置における内周面１２０ａの撓みは、戻り防止ストッパー１２４の位置における内周面１２０ａにも影響を与え、該戻り防止ストッパー１２４の位置における内周面１２０ａも拡径することになる。この際、外れ防止ストッパー１２３は戻り防止ストッパー１２４から離間した位置にあるため、外れ防止ストッパー１２３の位置における内周面１２０ａの拡径量は戻り防止ストッパー１２４の位置における内周面１２０ａの拡径量よりも小さなものとなる。
ここで、外れ防止ストッパー１２３の高さが戻り防止ストッパー１２４の高さよりも高く形成されているため、外れ防止ストッパー１２３をデバイス係合部１１０が通過するためには、該外れ防止ストッパー１２３の拡径量が戻り防止ストッパー１２４の拡径量に比べて大きくなければならない。
ところが、上述のように外れ防止ストッパー１２３の拡径量は戻り防止ストッパー１２４に比べて小さいため、外れ防止ストッパー１２３の位置における内周面１２０ａがデバイス係合部１１０を通過させる程の径まで拡径することはなく、図２４（ｃ）に示すように、外れ防止ストッパー１２３がデバイス係合部１１０の後部係合面１１０ｂに係合し、デバイス係合部１１０の後方への相対移動、即ち、セーフティーデバイス１２０の前方への移動が阻止される。また、デバイス係合部１１０が戻り防止ストッパー１２４を乗り越えて通過した後には、戻り防止ストッパー１２４が復元し、デバイス係合部１１０の前方への相対移動、即ち、セーフティーデバイスの後方への移動が阻止される。したがって、セーフティーデバイス１２０が前端方向に進み過ぎて容器兼用注射器本体１０から外れたり、後端方向に移動して注射針３７が露出したりすることはない。
【０１０３】
以上のようにして、第２実施形態の容器兼用注射器２においては、戻り防止ストッパー１２４の内周面１２０ａからの高さを、外れ防止ストッパー１２３の内周面１２０ａからの高さよりも低く形成するといった簡易な構成でもって、セーフティーデバイス１２０の装着を容易に行うことができ、また、セーフティーデバイス１２０を注射針を覆った位置で確実に固定することが可能となる。
【０１０４】
以上、本発明である容器兼用注射器１，２の実施形態について詳細に説明したが、本発明の技術的思想を逸脱しない限り、これらに限定されることはなく、多少の設計変更等も可能である。例えば、第１及び第２実施形態においては本発明を一室式容器兼用注射器に適用した例を示したが、本発明はこれに限らず、二室式容器兼用注射器にも適用することも可能である。
【符号の説明】
【０１０５】
１    容器兼用注射器
２    容器兼用注射器
１０  容器兼用注射器本体
２０  外筒
３０  ハブルアーロック
３１  デバイス係合部
３１ａ       前部係合面
３１ｂ       後部係合面
３１ｃ       外周面
３７  注射針
４０  フィンガーグリップ
４１  嵌着部
４１ａ       スプリング当接段部
４２  嵌着孔
４４  係止凸部（係止部）
４５  フランジ部
４６  フランジ面
４７  第１ガイド部
４８  第２ガイド部
５０  セーフティーデバイス
５１  セーフティーデバイス本体
５２  バネ受け部
５３  外れ防止ストッパー
５３ａ       傾斜面
５４  戻り防止ストッパー
５４ａ       被押圧面
５４ｂ       傾斜面
５８  係合板（係合部）
５８ｂ       係合孔
６０  押圧リング
７０  コイルスプリング（付勢手段）
８０  スライド部材（係止解除手段）
８１  スライド板
８２  側面
８２ａ       第１側面
８２ｂ       第２側面
８２ｃ       傾斜側面
８３  貫通孔
８４  大径孔
８５  小径スリット
８５ａ       小径孔
８７  操作板
９０  プランジャロッド
９１  ロッド部
９２  大径ロッド部
９３  小径ロッド部
１００       ハブルアーロック
１０１       基端部
１１０       デバイス係合部
１１０ａ  前部係合面
１１０ｂ  後部係合面
１１０ｃ  外周面
１２０       セーフティーデバイス
１２２       バネ受け部
１２３       外れ防止ストッパー
１２３ａ  傾斜面
１２４       戻り防止ストッパー
１２４ａ  傾斜面
１２５       スリット
１２８       係合板（係合部）
１２８ａ  接続部
１２８ｂ  係合孔
【図１】
2010172618.tif 000003
【図２】
2010172618.tif 000004
【図３】
2010172618.tif 000005
【図４】
2010172618.tif 000006
【図５】
2010172618.tif 000007
【図６】
2010172618.tif 000008
【図７】
2010172618.tif 000009
【図８】
2010172618.tif 000010
【図９】
2010172618.tif 000011
【図１０】
2010172618.tif 000012
【図１１】
2010172618.tif 000013
【図１２】
2010172618.tif 000014
【図１３】
2010172618.tif 000015
【図１４】
2010172618.tif 000016
【図１５】
2010172618.tif 000017
【図１６】
2010172618.tif 000018
【図１７】
2010172618.tif 000019
【図１８】
2010172618.tif 000020
【図１９】
2010172618.tif 000021
【図２０】
2010172618.tif 000022
【図２１】
2010172618.tif 000023
【図２２】
2010172618.tif 000024
【図２３】
2010172618.tif 000025
【図２４】
2010172618.tif 000026
【図２５】
2010172618.tif 000027
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
軸線に沿った円筒状をなし薬液が充填される外筒の前端側に、先端に注射針を装着した筒先が取り付けられるとともに、前記外筒の後端側に、フィンガーグリップが取り付けられ、前記軸線に沿って延びる棒状をなし、前記外筒の後端側から該外筒内に挿入されて、注射時に前方に向かって押し込まれるプランジャロッドを備えた容器兼用注射器本体と、
前記外筒の外周に摺動可能に装着される円筒形状をなし、前方に移動した際に前記注射針を覆うセーフティーデバイスと、を備えた容器兼用注射器において、
前記セーフティーデバイスの後端部に設けられた係合部と、前記嵌着部の外周面に設けられ前記係合部を係止する係止部とからなり、前記セーフティーデバイスを前記注射針から外れた第１位置に係脱可能に係止する第１保持手段と、
前記セーフティーデバイスを前記注射針を覆う第２位置に係止する第２保持手段と、
前記セーフティーデバイスを前記第１位置から前記第２位置に向かって付勢する付勢手段と、
前記第１保持手段による係止を解除する係止解除手段とが設けられ、
前記フィンガーグリップは、円筒状をなし前記外筒の後端部に嵌着される嵌着部と、前記嵌着部の後端部から前記容器兼用注射器本体の径方向外側に張り出して後方側を向くフランジ面とを備え、
前記係止解除手段が、前記フランジ面上を前記容器兼用注射器本体の径方向に沿ってスライド可能に設けられ、前記容器兼用注射器本体の径方向外側に位置する待機位置から前記容器兼用注射器本体の径方向内側に位置する解除位置にスライド移動する際に、前記係止部による前記係合部の係止を解除するスライド部材であって、
前記スライド部材に、前記待機位置に位置する前記スライド部材を前記軸線に沿って貫通する大径孔と、前記待機位置に位置する前記スライド部材を前記軸線に沿って貫通するとともに前記スライド移動の方向に沿って延びて前記大径孔に連なる小径スリットとからなる貫通部が形成され、
前記プランジャロッドが、前記大径孔に挿通可能とされ、かつ、前記小径スリットに挿通不能とされた径を有する大径ロッド部と、該大径ロッド部の後端側に位置し、前記大径孔及び前記小径スリットに挿通可能とされた径を有する小径ロッド部とを備え、前記プランジャロッドが最も後方に位置する注射前及び前記プランジャロッドを前方に向かって押し込む注射動作時に、前記大径ロッド部が貫通部に挿通状態とされ、前記プランジャロッドを前方側に押し切った注射完了時に、前記小径ロッド部が前記貫通部に挿通状態とされることを特徴とする容器兼用注射器。
【請求項２】
前記係合部が、前記セーフティーデバイスの後端から前記軸線に平行に延出するとともに前記容器兼用注射器本体の径方向に沿って弾性変形可能とされ、
前記スライド部材が、前記待機位置側から前記解除位置側に向かうに従って前記容器兼用注射器本体の径方向内側に向かって傾斜し、前記係止部の内側面と当接可能な傾斜側面を備え、
前記スライド部材が前記解除位置に移動する際に、該傾斜側面が前記係合部を押し上げて前記容器兼用注射器本体の径方向外側に弾性変形させることを特徴とする請求項１に記載の容器兼用注射器。
【請求項３】
前記第２保持手段が、
前記筒先の一部が拡径して形成され、その前方側を向く端面が前部係合面とされるとともに、後方側を向く端面が後部係合面とされたデバイス係合部と、
前記セーフティーデバイスの内周面に突設され、前記セーフティーデバイスが前記注射針の全域を覆う位置で前記前部係合面と係合し、前記セーフティーデバイスの後端方向への移動を阻止する戻り防止ストッパーと、
前記セーフティーデバイスの内周面における前記戻り防止ストッパーよりも後方側に突設され、前記セーフティーデバイスが前記注射針の全域を覆う位置で前記後部係合面と係合し、前記セーフティーデバイスの先端方向への移動を阻止する外れ防止ストッパーとからなることを特徴とする請求項１又は２に記載の容器兼用注射器。
【請求項４】
前記戻り防止ストッパーが、後方側に向かうにしたがって前記容器兼用注射器本体の径方向内側に傾斜するように形成されているとともに、前記外れ防止ストッパーが、前方側に向かうにしたがって前記容器兼用注射器本体の径方向内側に傾斜するように形成されており、
前記戻り防止ストッパーの前記セーフティーデバイスの内周面からの高さが、前記外れ防止ストッパーの前記セーフティーデバイスの内周面からの高さよりも低く形成されていることを特徴とする請求項３に記載の容器兼用注射器。
【請求項５】
前記戻り防止ストッパーの周方向位置から前記外れ防止ストッパーの周方向位置にかけて、
前記軸線に平行に延びるスリットが形成されたことを特徴とする請求項４に記載の容器兼用注射器。
【請求項６】
前記外れ防止ストッパーが、前方側に向かうにしたがって前記容器兼用注射器本体の径方向内側に傾斜するように形成されており、
前記戻り防止ストッパーが前記容器兼用注射器本体の径方向に弾性変形可能とされ、
前記セーフティーデバイスの外周面に押圧リングが摺動可能に設けられ、
該押圧リングを前記戻り防止ストッパーの位置に摺動させることによって、該戻り防止ストッパーを前記容器兼用注射器本体の径方向内側に向かって押圧して前記セーフティーデバイスの内周面から突出させることを特徴とする請求項３に記載の容器兼用注射器。
【請求項７】
前記付勢手段は前記軸線を中心としたコイルスプリングであって、
前記セーフティーデバイスが前記外筒の外周に固定された前記第１位置に位置している状態において、該コイルスプリングが、前記セーフティーデバイスの後端側の内周壁面に形成されたバネ受け部と前記フィンガーグリップとの間に圧縮状態で装着されていることを特徴とする請求項１から６のいずれか一項に記載の容器兼用注射器。
【手続補正２】
【補正対象書類名】明細書
【補正対象項目名】０００８
【補正方法】変更
【補正の内容】
【０００８】
前記課題を解決するため、この発明は以下の手段を提案している。
即ち、本発明に係る容器兼用注射器は、軸線に沿った円筒状をなし薬液が充填される外筒の前端側に、先端に注射針を装着した筒先が取り付けられるとともに、前記外筒の後端側に、フィンガーグリップが取り付けられ、前記軸線に沿って延びる棒状をなし、前記外筒の後端側から該外筒内に挿入されて、注射時に前方に向かって押し込まれるプランジャロッドを備えた容器兼用注射器本体と、前記外筒の外周に摺動可能に装着される円筒形状をなし、前方に移動した際に前記注射針を覆うセーフティーデバイスと、を備えた容器兼用注射器において、前記セーフティーデバイスの後端部に設けられた係合部と、前記嵌着部の外周面に設けられ前記係合部を係止する係止部とからなり、前記セーフティーデバイスを前記注射針から外れた第１位置に係脱可能に係止する第１保持手段と、前記セーフティーデバイスを前記注射針を覆う第２位置に係止する第２保持手段と、前記セーフティーデバイスを前記第１位置から前記第２位置に向かって付勢する付勢手段と、前記第１保持手段による係止を解除する係止解除手段とが設けられ、前記フィンガーグリップは、円筒状をなし前記外筒の後端部に嵌着される嵌着部と、前記嵌着部の後端部から前記容器兼用注射器本体の径方向外側に張り出して後方側を向くフランジ面とを備え、前記係止解除手段が、前記フランジ面上を前記容器兼用注射器本体の径方向に沿ってスライド可能に設けられ、前記容器兼用注射器本体の径方向外側に位置する待機位置から前記容器兼用注射器本体の径方向内側に位置する解除位置にスライド移動する際に、前記係止部による係合部の係止を解除するスライド部材であって、前記スライド部材に、前記待機位置に位置する前記スライド部材を前記軸線に沿って貫通する大径孔と、前記待機位置に位置する前記スライド部材を前記軸線に沿って貫通するとともに前記スライド移動の方向に沿って延びて前記大径孔に連なる小径スリットとからなる貫通部が形成され、前記プランジャロッドが、前記大径孔に挿通可能とされ、かつ、前記小径スリットに挿通不能とされた径を有する大径ロッド部と、該大径ロッド部の後端側に位置し、前記大径孔及び前記小径スリットに挿通可能とされた径を有する小径ロッド部とを備え、前記プランジャロッドが最も後方に位置する注射前及び前記プランジャロッドを前方に向かって押し込む注射動作時に、前記大径ロッド部が貫通部に挿通状態とされ、前記プランジャロッドを前方側に押し切った注射完了時に、前記小径ロッド部が前記貫通部に挿通状態とされることを特徴としている。
【手続補正３】
【補正対象書類名】明細書
【補正対象項目名】０００９
【補正方法】変更
【補正の内容】
【０００９】
このような特徴の容器兼用注射器によれば、係止解除手段によって第１保持手段によるセーフティーデバイスの第１位置での係止を解除すると、セーフティーデバイスは付勢手段の付勢力によって第２位置方向に移動し、第２位置において第２保持手段によって係止される。したがって、係止解除手段を操作することのみをもって、セーフティーデバイスを確実に注射針を覆う位置に移動させることができる。
具体的には、フィンガーグリップのフランジ面上に配置されたスライド部材を待機位置から解除位置に移動させることによって、該スライド部材がフィンガーグリップの嵌着部の係止部とセーフティーデバイスの後端部の係合部との係合を解除する。これによって、セーフティーデバイスは付勢手段の付勢力によって第２位置方向に移動し、第２位置において第２保持手段によって係止される。即ち、スライド部材をスライドさせる操作のみをもってセーフティーデバイスが第２位置に移動するため、容易かつ確実に注射針を覆って安全性を確保することが可能となる。
また、注射前及び注射動作時には、プランジャロッドの大径ロッドは貫通孔のうち大径孔に挿通状態とされている。この状態においては、上記大径ロッドが小径スリットに挿通不能な径を有しているため、該大径ロッドが小径スリットを挿通することはできない。したがって、スライド部材を待機位置から解除位置にスライド移動させようとしても、大径ロッド部の存在によって当該スライド移動をさせることができない。
一方、注射完了時においては、該プランジャロッドの小径ロッドが貫通部の大径孔に挿通状態となる。この状態において、スライド部材を待機位置から解除位置に移動させようとすると、小径ロッドは大径孔から小径スリットに入り込むようにして該小径スリットに挿通した状態となる。したがって、スライド部材をスライド移動させても、小径スリットが当該スライド移動の妨げとなることはない。
よって、注射完了時のみに、スライド部材を待機位置から解除位置にスライドさせることができるため、注射前や注射動作時にセーフティーデバイスが誤作動してしまうことを確実に防止することが可能となる。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００２７
【補正方法】削除
【補正の内容】
【手続補正９】
【補正対象書類名】明細書
【補正対象項目名】００２８
【補正方法】削除
【補正の内容】
【手続補正１０】
【補正対象書類名】明細書
【補正対象項目名】００２９
【補正方法】変更
【補正の内容】
【００２９】
本発明の容器兼用注射器によれば、係止解除手段の操作することのみをもってセーフティーデバイスを確実に注射針を覆う位置に移動させることができるため、セーフティーデバイスを注射針を覆う位置に容易かつ確実に移動させて、安全性を確保することが可能となる。
【手続補正１１】
【補正対象書類名】明細書
【補正対象項目名】００３０
【補正方法】変更
【補正の内容】
【００３０】
【図１】第１実施形態に係る容器兼用注射器の一部を断面とした側面図である。
【図２】第１実施形態に係る容器兼用注射器本体の一部を断面とした側面図である。
【図３】フィンガーグリップの側断面図である。
【図４】図３のＡ方向矢視図である。
【図５】図３のＢ方向矢視図である。
【図６】戻り防止ストッパーを突出状態とした第１実施形態のセーフティーデバイスの側面図である。
【図７】戻り防止ストッパーを後退状態とした第１実施形態のセーフティーデバイスの側面図である。
【図８】スライド部材の側断面図である。
【図９】図８のＡ方向矢視図である。
【図１０】図８のＢ方向矢視図である。
【図１１】スライド部材をフィンガーグリップに取り付けた状態において、スライド部材が待機位置に位置している状態の図である。
【図１２】スライド部材をフィンガーグリップに取り付けた状態において、スライド部材が解除位置に位置している状態の図である。
【図１３】プランジャロッドの側面図である。
【図１４】図１３のＡ−Ａ断面図である。
【図１５】図１のＢ−Ｂ断面図である。
【図１６】注射前又は注射動作時において容器兼用注射器を後方側から見た図である。
【図１７】注射完了時において容器兼用注射器を後方側から見た図である。
【図１８】スライド部材を待機位置から解除位置に移動させた際に容器兼用注射器を後方側から見た図である。
【図１９】セーフティーデバイスが注射針を覆った状態における第１実施形態に係る容器兼用注射器の一部を断面とした側面図である。
【図２０】第２実施形態に係る容器兼用注射器の一部を断面とした側面図である。
【図２１】第２実施形態のセーフティーデバイスの側面図である。
【図２２】第２実施形態のセーフティーデバイスを後方側から見た図である。
【図２３】第２実施形態の容器兼用注射器において、セーフティーデバイスを注射器本体に装着する際の戻り防止ストッパー及び外れ防止ストッパーの作用を説明する図である。
【図２４】第２実施形態の容器兼用注射器において、セーフティーデバイスを第１位置から第２位置に移動させる際の戻り防止ストッパー及び外れ防止ストッパーの作用を説明する図である。
【図２５】セーフティーデバイスが注射針を覆った状態における第２実施形態に係る容器兼用注射器の一部を断面とした側面図である。
【手続補正１２】
【補正対象書類名】明細書
【補正対象項目名】００６４
【補正方法】変更
【補正の内容】
【００６４】
また、図１２に示すように、スライド部材８０が容器兼用注射器１の径方向内側に向かって、即ち、スライド方向に向かってスライドし、該スライド部材８０の第１側面８２ａ，８２ａが係合板５８，５８に接触し、小径スリット８５内に軸線Ｏが存在する位置が、スライド部材８０が容器兼用注射器１の径方向内側寄りに位置された解除位置とされている。なお、この際、軸線Ｏと小径スリット８５の最も一方側に位置する端部との距離は、少なくとも小径スリット８５の内径Ｄ２の半分以上の長さとされている。
【手続補正１３】
【補正対象書類名】明細書
【補正対象項目名】００６６
【補正方法】変更
【補正の内容】
【００６６】
大径ロッド部９２は、図１４に示すように、軸線Ｏに直交する断面形状が、略円形に対してその一方側及び該一方側と対向する他方側から、それぞれ２つのスリット９２ａを刻んだ形状をなしている。
また、この大径ロッド部９２の外径ｄ１は、上記スライド部材８０の大径孔８４の内径Ｄ１と等しいか僅かに小さく、かつ小径スリット８５の内径Ｄ２よりも大きく形成されている。これにより、大径ロッド部９２は、貫通孔８３に対して、大径孔８４に挿通可能かつ小径スリット８５に挿通不能とされている。
小径ロッド部９３は、図１５に示すように、軸線Ｏに直交する断面形状が、略円形に対して、周方向等間隔の４箇所をＬ字状に切り欠いて形成された略十字状をなしている。
また、この小径ロッド部９３の外径ｄ２は、上記スライド部材８０の小径孔８５ａの内径Ｄ２と同一か僅かに小さく形成されている。これにより、小径ロッド部９３は、貫通孔８３に対して、大径孔８４と小径孔８５ａとの両方に挿通可能とされている。
そして、ロッド部９１においては、図１３に示すように、上記大径ロッド部９２が大部分を占めるように軸線Ｏ方向に延びており、該大径ロッド部９２の後端側に絞り込まれるようにして小径ロッド部９３が形成されている。
【手続補正１４】
【補正対象書類名】明細書
【補正対象項目名】００８０
【補正方法】変更
【補正の内容】
【００８０】
次に、本発明に係る容器兼用注射器の第２の実施形態について説明する。第２実施形態の容器兼用注射器２は、ハブルアーロック３０の形状について第１の実施形態とは相違する。さらに、第２実施形態の容器兼用注射器２は、セーフティーデバイス５０において、より詳しくはセーフティーデバイス５０を注射針３７を覆う第２位置に固定する第２保持手段において、第１の実施形態の容器兼用注射器１とは相違する。
第２実施形態の容器兼用注射器２は、上記ハブルアーロック３０及びセーフティーデバイス５０以外の構成要素については第１の実施形態と同様とされている。したがって、図２０〜２５において、第１の実施形態と同様の構成要素には、同一の符号を付して詳細な説明を省略する。また、第１の実施形態と同様に、容器兼用注射器本体１０の径方向を単に径方向と、先端側を前方と、後端側を後方と称することとする。
【手続補正１５】
【補正対象書類名】図面
【補正対象項目名】図１１
【補正方法】変更
【補正の内容】
【図１１】
2010172618.tif 000028
【手続補正１６】
【補正対象書類名】図面
【補正対象項目名】図１２
【補正方法】変更
【補正の内容】
【図１２】
2010172618.tif 000029
【手続補正１７】
【補正対象書類名】図面
【補正対象項目名】図１５
【補正方法】変更
【補正の内容】
【図１５】
2010172618.tif 000030